(57)【要約】【課題】ハードディスクドライブが置かれた環境的特性の変化によって浮上する高さの調節が可能なヘッドスライダ、ヘッドスライダを備えたハードディスクドライブ、及びヘッドスライダの浮上高さの制御方法を提供する。【解決手段】ハードディスクドライブのヘッドスライダ１３０において、ヘッドスライダ１３０内部に、電流入力により発熱する発熱部（例えば、リセス発熱部１４２及びキャビティ発熱部１４４）を備え、発熱部の発熱により、スライダボディ１３１が熱膨張してディスク１０７に対向する面のシルエットが変形することを特徴とし、シルエットの変形によりヘッドスライダ１３０の揚力を調整することができ、環境的特性等によって、ディスク１０７からのヘッドスライダの浮上高さが最適の浮上高さを外れた場合にも、最適の浮上高さに復帰させることができる。【選択図】図４
2008181645.tif 000002
【特許請求の範囲】
【請求項１】
データ記録媒体であるディスクに対向して浮上し、データの記録または再生を行うヘッドスライダにおいて；
内部に、電流入力により発熱する発熱部を備え、
前記発熱部の発熱により、熱膨張して前記ディスクに対向する面のシルエットが変形することを特徴とする、ヘッドスライダ。
【請求項２】
前記発熱部は、鉄−クロム合金、またはニッケル−クロム合金からなることを特徴とする、請求項１に記載のヘッドスライダ。
【請求項３】
前記ディスクに対向する面に、
前記ディスク側に突出したＡＢＳと、
前記ＡＢＳより窪んだキャビティと、
を備え、
前記発熱部は、前記キャビティを前記ディスク側に突出させるためのキャビティ発熱部を有することを特徴とする、請求項１または２に記載のヘッドスライダ。
【請求項４】
前記ディスクに対向する面に、前記ＡＢＳより窪んでおり前記キャビティよりは突出したリセスをさらに備え、
前記発熱部は、前記リセスを前記ディスク側に突出させるためのリセス発熱部をさらに有することを特徴とする、請求項３に記載のヘッドスライダ。
【請求項５】
前記ディスクに対向する面に、
前記ディスク側に突出したＡＢＳと、
前記ＡＢＳより窪んだリセスと、
前記ＡＢＳ及びリセスよりさらに窪んだキャビティと、
を備え、
前記発熱部は、前記リセスを前記ディスク側に突出させるためのリセス発熱部を有することを特徴とする、請求項１または２に記載のヘッドスライダ。
【請求項６】
データ記録媒体であるディスクと、
前記ディスクに対向して浮上しデータの記録または再生を行うものであって、内部に、電流入力により発熱する発熱部を有して、前記発熱部の発熱により熱膨張して前記ディスクに対向する面のシルエットが変形するヘッドスライダと、
前記発熱部への電流入力を制御して、前記ディスクからの前記ヘッドスライダの浮上高さを制御するコントローラと、
を備えることを特徴とする、ハードディスクドライブ。
【請求項７】
前記発熱部は、鉄−クロム合金、またはニッケル−クロム合金からなることを特徴とする、請求項６に記載のハードディスクドライブ。
【請求項８】
前記ヘッドスライダは、前記ディスクに対向する面に、
前記ディスク側に突出したＡＢＳと、
前記ＡＢＳより窪んだキャビティと、
を備え、
前記発熱部は、前記キャビティを前記ディスク側に突出させるためのキャビティ発熱部を有することを特徴とする、請求項６または７に記載のハードディスクドライブ。
【請求項９】
前記ヘッドスライダは、前記ディスクに対向する面に、前記ＡＢＳより窪んでおり前記キャビティよりは突出したリセスをさらに備え、
前記発熱部は、前記リセスを前記ディスク側に突出させるためのリセス発熱部をさらに有することを特徴とする、請求項８に記載のハードディスクドライブ。
【請求項１０】
前記ヘッドスライダは、前記ディスクに対向する面に、
前記ディスク側に突出したＡＢＳと、
前記ＡＢＳより窪んだリセスと、
前記ＡＢＳ及びリセスよりさらに窪んだキャビティと、
を備え、
前記発熱部は、前記リセスを前記ディスク側に突出させるためのリセス発熱部を有することを特徴とする、請求項６または７に記載のハードディスクドライブ。
【請求項１１】
内部に電流入力により発熱する発熱部を備えたヘッドスライダを、データ記録媒体であるディスクと対向して浮上させ、前記ディスクからの浮上高さを測定するステップと、
前記浮上高さが、設定された最適の浮上高さの範囲になければ、前記ヘッドスライダの発熱部を発熱させて、熱膨張により前記ディスクに対向する面のシルエットを変形させるステップと、
を含むことを特徴とする、ヘッドスライダの浮上高さの制御方法。
【請求項１２】
前記ヘッドスライダは、前記ディスクに対向する面に、
前記ディスク側に突出したＡＢＳと、
前記ＡＢＳより窪んだキャビティと、
を備え、
前記発熱部は、前記キャビティを前記ディスク側に突出させるためのキャビティ発熱部を有し、
前記シルエットを変形させるステップにおいては、前記ヘッドスライダの浮上高さが前記最適の浮上高さより低ければ、前記キャビティ発熱部を発熱させて前記キャビティを前記ディスク側に突出させることを特徴とする、請求項１１に記載のヘッドスライダの浮上高さの制御方法。
【請求項１３】
前記ヘッドスライダは、前記ディスクに対向する面に、
前記ディスク側に突出したＡＢＳと、
前記ＡＢＳより窪んだリセスと、
前記ＡＢＳ及びリセスよりさらに窪んだキャビティと、
を備え、
前記発熱部は、前記リセスを前記ディスク側に突出させるためのリセス発熱部を有し、
前記シルエットを変形させるステップにおいては、前記ヘッドスライダの浮上高さが前記最適の浮上高さより高ければ、前記リセス発熱部を発熱させて前記リセスを前記ディスク側に突出させることを特徴とする、請求項１１に記載のヘッドスライダの浮上高さの制御方法。
【発明の詳細な説明】
【技術分野】
【０００１】
本発明は、ハードディスクドライブにおいてディスク上に浮上する高さを変化させるヘッドスライダ、ヘッドスライダを備えたハードディスクドライブ、及びヘッドスライダの浮上高さの制御方法に関する。
【背景技術】
【０００２】
ハードディスクドライブ（Ｈａｒｄ  Ｄｉｓｋ  Ｄｒｉｖｅ：ＨＤＤ）は、コンピュータ、ＭＰ３プレーヤー、携帯電話などに使われる補助記憶装置の一例であって、データの記録及び再生媒体であるヘッドスライダにより、データ記録媒体であるディスクに保存されたデータを読み取り及び再生するか、またはディスクに新たなデータを記録する装置である。ＨＤＤの作動中には、ヘッドスライダは、ディスクに対向して一定間隔ほど浮き上がったフローティング状態を維持し、ヘッドスライダに形成された磁気ヘッドがディスクに保存されたデータを読み取って再生するか、またはディスクに新たなデータを記録する機能を行う。
【０００３】
ＨＤＤの作動状態において、ヘッドスライダの浮上する高さは、ヘッドスライダと対向するディスク面との間を通過する空気の流れによるヘッドスライダの揚力と、ヘッドスライダを支持するサスペンションの弾性力とが、平衡となる高さになるように決定される。ヘッドスライダの揚力は、ディスク対面の形状と、ディスク対面を通過する空気の流れの物理的な特性変化とから大きな影響を受ける。ヘッドスライダの揚力変化に影響を及ぼす空気の物理的特性には、例えば温度、湿度、密度（高度）などがある。
【０００４】
ＨＤＤは、データの記録及び再生のエラー、及び磁気ヘッドとディスクとの間の干渉（Ｈｅａｄ−Ｄｉｓｋ  Ｉｎｔｅｒｆｅｒｅｎｃｅ：ＨＤＩ）が最小化されるようなヘッドスライダの浮上高さ、すなわち最適の浮上高さを有し、この最適の浮上高さは、各機器によって少しずつ異なる。
【発明の開示】
【発明が解決しようとする課題】
【０００５】
しかし、ＨＤＤが置かれた環境的特性、すなわち温度、湿度、及び密度などの変化によって、ヘッドスライダの浮上の高さが最適の浮上高さを外れれば、記録や再生の信頼性が低下するだけでなく、ＨＤＩにより磁気ヘッドまたはディスクの損傷の可能性が大きくなるという問題点がある。
【０００６】
そこで、本発明は、このような問題に鑑みてなされたもので、その目的とするところは、ハードディスクドライブが置かれた環境的特性の変化によって浮上する高さの調節が可能なヘッドスライダ、ヘッドスライダを備えたハードディスクドライブ、及びヘッドスライダの浮上高さの制御方法を提供することである。
【課題を解決するための手段】
【０００７】
上記課題を解決するために、本発明のある観点によれば、データ記録媒体であるディスクに対向して浮上し、データの記録または再生を行うヘッドスライダにおいて；内部に、電流入力により発熱する発熱部を備え、発熱部の発熱により、熱膨張してディスクに対向する面のシルエットが変形することを特徴とする、ヘッドスライダが提供される。
【０００８】
このように、電流入力により発熱する発熱部を備えることにより、ヘッドスライダのディスクに対向する面のシルエットを変形させてヘッドスライダの揚力を調整することができ、環境的特性等によって、ディスクからのヘッドスライダの浮上高さが最適の浮上高さを外れた場合にも、最適の浮上高さに復帰させることができる。
【０００９】
ここで、発熱部は、鉄−クロム合金、またはニッケル−クロム合金からなることができ、抵抗の高い物質を蒸着して形成して電流入力により発熱することができる。
【００１０】
ヘッドスライダのシルエットを変形させるために、ディスクに対向する面に、ディスク側に突出したＡＢＳ（Ａｉｒ  Ｂｅａｒｉｎｇ  Ｓｕｒｆａｃｅ）と、ＡＢＳより窪んだキャビティと、を備え、発熱部は、キャビティをディスク側に突出させるためのキャビティ発熱部を有することができる。キャビティは、ヘッドスライダのディスクに対向する面とディスク表面との間を通過する空気の流れにより、ヘッドスライダをディスク側に近接させる方向の負圧が発生する凹状の領域であって、キャビティ発熱部を発熱させることによりキャビティを突出させ、シルエットを変形させることができる。キャビティが突出すれば、キャビティにより発生する負圧が小さくなってヘッドスライダの浮上高さを増大させることができる。
【００１１】
ディスクに対向する面に、ＡＢＳより窪んでおりキャビティよりは突出したリセスをさらに備え、発熱部は、リセスをディスク側に突出させるためのリセス発熱部をさらに有することができる。リセス発熱部を発熱させることによりリセスを突出させ、シルエットを変形させることができる。リセスが突出すれば、リセスとキャビティとの深さの差が増大して、相対的にキャビティが深くなるので、キャビティによって発生する負圧が大きくなって、ヘッドスライダの浮上高さを低くすることができる。
【００１２】
また、ディスクに対向する面に、ディスク側に突出したＡＢＳと、ＡＢＳより窪んだリセスと、ＡＢＳ及びリセスよりさらに窪んだキャビティと、を備え、発熱部は、リセスをディスク側に突出させるためのリセス発熱部を有することができる。リセス発熱部を発熱させることによりリセスを突出させ、シルエットを変形させることができる。
【００１３】
上記課題を解決するために、本発明の別の観点によれば、データ記録媒体であるディスクと、ディスクに対向して浮上しデータの記録または再生を行うものであって、内部に、電流入力により発熱する発熱部を有して、発熱部の発熱により熱膨張してディスクに対向する面のシルエットが変形するヘッドスライダと、発熱部への電流入力を制御して、ディスクからのヘッドスライダの浮上高さを制御するコントローラと、を備えることを特徴とする、ハードディスクドライブが提供される。
【００１４】
このように、ヘッドスライダに電流入力により発熱する発熱部を備えることにより、ヘッドスライダのディスクに対向する面のシルエットを変形させてヘッドスライダの揚力を調整することができ、環境的特性等によって、ディスクからのヘッドスライダの浮上高さが最適の浮上高さを外れた場合にも最適の浮上高さに復帰させることができ、ハードディスクドライブの記録及び再生の信頼性が向上する。
【００１５】
ここで、発熱部は、鉄−クロム合金、またはニッケル−クロム合金からなることができ、抵抗の高い物質を蒸着して形成して電流入力により発熱することができる。
【００１６】
ヘッドスライダは、ディスクに対向する面に、ディスク側に突出したＡＢＳと、ＡＢＳより窪んだキャビティと、を備え、発熱部は、キャビティをディスク側に突出させるためのキャビティ発熱部を有することができる。キャビティは、ヘッドスライダのディスクに対向する面とディスク表面との間を通過する空気の流れにより、ヘッドスライダをディスク側に近接させる方向の負圧が発生する凹状の領域であって、キャビティ発熱部を発熱させることによりキャビティを突出させ、シルエットを変形させることができる。キャビティが突出すれば、キャビティにより発生する負圧が小さくなってヘッドスライダの浮上高さを増大させることができる。
【００１７】
ヘッドスライダは、ディスクに対向する面に、ＡＢＳより窪んでおりキャビティよりは突出したリセスをさらに備え、発熱部は、リセスをディスク側に突出させるためのリセス発熱部をさらに有することができる。リセス発熱部を発熱させることによりリセスを突出させ、シルエットを変形させることができる。リセスが突出すれば、リセスとキャビティとの深さの差が増大して、相対的にキャビティが深くなるので、キャビティによって発生する負圧が大きくなって、ヘッドスライダの浮上高さを低くすることができる。
【００１８】
シルエットを変形させるために、ヘッドスライダは、ディスクに対向する面に、ディスク側に突出したＡＢＳと、ＡＢＳより窪んだリセスと、ＡＢＳ及びリセスよりさらに窪んだキャビティと、を備え、発熱部は、リセスをディスク側に突出させるためのリセス発熱部を有することができる。リセス発熱部を発熱させることによりリセスを突出させ、シルエットを変形させることができる。
【００１９】
上記課題を解決するために、本発明のさらに別の観点によれば、内部に電流入力により発熱する発熱部を備えたヘッドスライダを、データ記録媒体であるディスクと対向して浮上させ、ディスクからの浮上高さを測定するステップと、浮上高さが設定された最適の浮上高さの範囲になければ、ヘッドスライダの発熱部を発熱させて、熱膨張によりディスクに対向する面のシルエットを変形させるステップと、を含むことを特徴とする、ヘッドスライダの浮上高さの制御方法が提供される。
【００２０】
こうして、ハードディスクドライブのヘッドスライダに電流入力により発熱する発熱部を備えることにより、環境的特性等によって、ディスクからのヘッドスライダの浮上高さが最適の浮上高さを外れた場合に、発熱による熱膨張によりヘッドスライダのディスクに対向する面のシルエットを変形させることができるので、ヘッドスライダの揚力を調整して最適の浮上高さに復帰させることができ、ハードディスクドライブの記録及び再生の信頼性が向上する。
【００２１】
ヘッドスライダは、ディスクに対向する面に、ディスク側に突出したＡＢＳと、ＡＢＳより窪んだキャビティと、を備え、発熱部は、キャビティをディスク側に突出させるためのキャビティ発熱部を有し、シルエットを変形させるステップにおいては、ヘッドスライダの浮上高さが最適の浮上高さより低ければ、キャビティ発熱部を発熱させてキャビティをディスク側に突出させることができる。キャビティは、ヘッドスライダのディスクに対向する面とディスク表面との間を通過する空気の流れにより、ヘッドスライダをディスク側に近接させる方向の負圧が発生する凹状の領域であって、キャビティが突出すれば、キャビティにより発生する負圧が小さくなってヘッドスライダの浮上高さを増大させることができる。
【００２２】
ヘッドスライダは、ディスクに対向する面に、ディスク側に突出したＡＢＳと、ＡＢＳより窪んだリセスと、ＡＢＳ及びリセスよりさらに窪んだキャビティと、を備え、発熱部は、リセスをディスク側に突出させるためのリセス発熱部を有し、シルエットを変形させるステップにおいては、ヘッドスライダの浮上高さが最適の浮上高さより高ければ、リセス発熱部を発熱させてリセスを前記ディスク側に突出させることができる。リセスが突出すれば、リセスとキャビティとの深さの差が増大して、相対的にキャビティが深くなるので、キャビティによって発生する負圧が大きくなって、ヘッドスライダの浮上高さを低くすることができる。
【発明の効果】
【００２３】
以上詳述したように本発明によれば、ハードディスクドライブが置かれた環境的特性または他の要因によって、ヘッドスライダの浮上高さが最適の浮上高さを外れた場合には、ヘッドスライダ内部備えられた、電流入力により発熱する発熱部により、ディスクに対向する面のシルエットが熱膨張して変形するので、速やかに最適の浮上高さに復帰させることができる。したがって、ハードディスクドライブの記録及び再生の信頼性が向上し、ＨＤＩによる磁気ヘッドまたはディスクの損傷可能性を低減することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
まず、図１に示すように、ハードディスクドライブ（ＨＤＤ）１００は、ベース部材１０１及びそれに結合されたカバー部材（図示せず）で形成されるハウジング内に、スピンドルモータ１０５、データ記録媒体であるディスク１０７、及びＨＳＡ（Ｈｅａｄ  Ｓｔａｃｋ  Ａｓｓｅｍｂｌｙ）１１０を備える。スピンドルモータ１０５は、ディスク１０７を高速回転させるためのものであって、ベース部材１０１に固定設置される。ディスク１０７は、スピンドルモータ１０５に結合されて矢印方向に高速回転するものであって、かかる高速回転により、ディスク１０７の表面には矢印と同じ方向に流動する空気の流れが誘導される。
【００２６】
ＨＳＡ１１０は、データの記録または再生を行う磁気ヘッド（図示せず）が形成されたヘッドスライダ１３０を備える。ヘッドスライダ１３０は、ディスク１０７上の特定のトラックに移動してディスク１０７にデータを記録、またはディスク１０７からデータを再生する。ＨＳＡ１１０は、ベース部材１０１に回動可能に結合されたスイングアーム１１２と、スイングアーム１１２の先端部に結合プレート１１４を介して付着されるサスペンション１１５と、サスペンション１１５の先端部に搭載されるヘッドスライダ１３０と、を備える。また、スイングアーム１１２に結合され、巻線されたボイスコイル１１７を有するオーバーモールド１１６を備える。
【００２７】
オーバーモールド１１６の上側及び下側には、マグネット１２０と、マグネット１２０を支持するヨーク１２１とが配置される。マグネット１２０、ヨーク１２１及びＨＳＡ１１０のボイスコイル１１７は、ボイスコイルモータを構成して、ＨＳＡ１１０を回動させる駆動力を提供する。
【００２８】
ディスク１０７の高速回転により誘導された空気の流れは、ディスク１０７の表面とヘッドスライダ１３０のディスクに対向する面との間を通過し、ヘッドスライダ１３０には揚力が作用する。揚力と、ヘッドスライダ１３０をディスク１０７に向かうように加圧するサスペンション１１５の付勢力とが平衡をなす高さで、ヘッドスライダ１３０はフローティング状態を維持する。かかるフローティング状態でヘッドスライダ１３０に形成された磁気ヘッド（図示せず）は、ディスク１０７にデータを記録またはディスク１０７からデータを再生する機能を行う。
【００２９】
ＨＤＤ１００は、スピンドルモータ１０５及びＨＳＡ１１０の駆動を制御し、磁気ヘッドのデータの記録及び再生を制御する主回路基板（図示せず）を備える。主回路基板は、ベース部材１０１の下部に配置され、可撓性印刷回路（図示せず）によりＨＳＡ１１０と電気的に連結される。主回路基板には、ＨＤＤ１００の作動中にヘッドスライダ１３０の浮上高さを制御するコントローラ１２５が備えられる。
【００３０】
図２は、本実施の形態によるヘッドスライダのディスクに対向する面を示す平面図であり、図３は、図２のＡ−Ａ’線での断面図である。図２及び図３に示すように、本実施の形態によるヘッドスライダ１３０は、ＡｌＴｉＣ（アルティック）からなるスライダボディ１３１と、スライダボディ１３１の一側に形成された磁気ヘッド１３２と、を備える。磁気ヘッド１３２は、ディスク１０７（図１参照）の回転により引き起こされる空気の流れに対して、いわゆる後縁（ｔｒａｉｌｉｎｇ  ｅｄｇｅ）側に形成される。
【００３１】
磁気ヘッド１３２は、ディスク１０７に情報を記録するための磁場を形成する記録部（図示せず）と、ディスク１０７に記録された情報を再生するための再生部（図示せず）と、を備え、記録部及び再生部は、アルミナ（Ａｌ２Ｏ３）層に取り囲まれて保護される。
【００３２】
ヘッドスライダ１３０は、そのディスクに対向する面にディスク１０７（図１参照）側に突出したＡＢＳ１３５と、ＡＢＳ１３５よりディスク１０７側と反対の方向に窪んだリセス１３７と、ＡＢＳ１３５及びリセス１３７よりさらに窪んだキャビティ１３９と、を備える。図２において、ＡＢＳ１３５は、図面上で右下方向に傾斜した斜線でハッチングされている。ＡＢＳ１３５は、ヘッドスライダ１３０のディスクに対向する面とディスク１０７の表面との間を通過する空気の流れにより、ヘッドスライダ１３０をディスク１０７の表面から離隔させる方向に正圧が発生する突出領域である。
【００３３】
リセス１３７は、ＡＢＳ１３５の周囲に形成され、ＡＢＳ１３５に対して段差のあるようにディスク１０７側と反対の方向に窪んでいる。ＡＢＳ１３５とリセス１３７との段差Ｒは、０．０８μｍ〜０．２μｍである。図２において、リセス１３７は、図面上で右上方向に傾斜した斜線でハッチングされている。キャビティ１３９は、ヘッドスライダ１３０のディスクに対向する面とディスク１０７の表面との間を通過する空気の流れにより、ヘッドスライダ１３０をディスク１０７側に近接させる方向の負圧が発生する凹状の領域であって、ディスク１０７に対向する面でＡＢＳ１３５及びリセス１３７が形成されない領域に形成される。
【００３４】
キャビティ１３９により形成される負圧は、ローリング、ピッチングのようなヘッドスライダ１３０の姿勢変換時にヘッドスライダ１３０の安定した浮上に寄与する。キャビティ１３９は、ＡＢＳ１３５及びリセス１３７に対して段差があるように窪んでいる。ＡＢＳ１３５とキャビティ１３９との段差Ｃは、１．０μｍ〜２．５μｍである。ディスクに対向する面でＡＢＳ１３５、リセス１３７及びキャビティ１３９の分布領域は、ヘッドスライダによって多様であり、図２に示した形態に限定されない。
【００３５】
ヘッドスライダ１３０は、内部に電流入力により発熱するリセス発熱部１４２とキャビティ発熱部１４４とを備える。リセス発熱部１４２及びキャビティ発熱部１４４は、電流入力により発熱する鉄−クロム合金またはニッケル−クロム合金のような抵抗の高い物質を蒸着して形成してもよい。図２に点線で示したように、リセス発熱部１４２及びキャビティ発熱部１４４は、それぞれリセス１３７領域及びキャビティ１３９領域と重なってヘッドスライダ１３０の内部に形成される。
【００３６】
リセス発熱部１４２またはキャビティ発熱部１４４が電流入力により発熱すれば、ヘッドスライダボディ１３１が熱膨張してヘッドスライダ１３０のディスク対面のシルエットが変形する。具体的に、リセス発熱部１４２が発熱すれば、リセス発熱部１４２の周囲のヘッドスライダボディ１３１が熱膨張して、図５に２点鎖線で示したように、リセス１３７がディスク側に突出する。キャビティ発熱部１４４が発熱すれば、キャビティ発熱部１４４の周囲のヘッドスライダボディ１３１が熱膨張して、図４に２点鎖線で示したように、キャビティ１３９がディスク側に突出する。一方、コントローラ１２５（図１参照）は、リセス発熱部１４２及びキャビティ発熱部１４４に入力される電流を制御する。
【００３７】
図４及び図５は、図２のヘッドスライダの浮上高さの制御方法を説明するためのヘッドスライダ１３０断面を示した説明図である。図４に示すように、本実施の形態によるヘッドスライダ１３０の浮上高さを一定に制御するために、まず、ＨＤＤ１００（図１参照）の作動中にディスク１０７上に浮き上がった状態であるヘッドスライダ１３０の浮上高さＦＨ１を測定する。浮上高さＦＨ１は、例えば磁気ヘッド１３２の再生部（図示せず）により感知されるディスク１０７のデータ信号の強度を通じて測定される。
【００３８】
もし、浮上高さＦＨ１が既に設定された最適の浮上高さＦＨ０より低ければ、コントローラ１２５（図１参照）は、キャビティ発熱部１４４に電流を入力する。最適の浮上高さＦＨ０は、データの記録または再生エラー、及びＨＤＩが最小化されるヘッドスライダ１３０の浮上高さであって、例えばＨＤＤ１００の機構組み立て後にバーンインテスト過程を通じて得られる。最適の浮上高さＦＨ０は、例えばＸからＹまでのような区間に決まる。
【００３９】
キャビティ発熱部１４４に入力された電流によりキャビティ発熱部１４４が発熱すれば、キャビティ発熱部１４４の周囲のヘッドスライダボディ１３１が熱膨張して、図４に２点鎖線で示したように、キャビティ１３９がディスク側に突出する。このようにキャビティ１３９が突出すれば、キャビティ１３９により発生する負圧が小さくなってヘッドスライダ１３０の浮上高さＦＨ１が増大する。コントローラ１２５（図１参照）は、浮上高さＦＨ１が最適の浮上高さＦＨ０に属するまで電流入力を維持し、浮上高さＦＨ１が最適の浮上高さＦＨ０に属すれば、電流入力を遮断する。
【００４０】
一方、図５に示すように、測定されたヘッドスライダ１３０の浮上高さＦＨ２が最適の浮上高さＦＨ０より高ければ、コントローラ１２５（図１参照）は、リセス発熱部１４２に電流を入力する。リセス発熱部１４２に入力された電流によりリセス発熱部１４２が発熱すれば、リセス発熱部１４２の周囲のヘッドスライダボディ１３１が熱膨張して、２点鎖線で示したように、リセス１３７がディスク側に突出する。
【００４１】
このようにリセス１３７が突出すれば、リセス１３７とキャビティ１３９との深さの差が増大して、相対的にキャビティ１３９がさらに深くなるという現象が発生する。したがって、キャビティ１３９により発生する負圧が大きくなって、ヘッドスライダ１３０の浮上高さＦＨ２が低くなる。コントローラ１２５は、浮上高さＦＨ２が最適の浮上高さＦＨ０に属するまで電流入力を維持し、浮上高さＦＨ２が最適の浮上高さＦＨ０に属すれば、電流入力を遮断する。
【００４２】
以上説明したように本実施の形態によれば、ヘッドスライダ１３０の浮上高さが最適の浮上高さＦＨ０を外れた場合には、ヘッドスライダ１３０の内部に備えられた、電流入力により発熱するリセス発熱部１４２またはキャビティ発熱部１４４により、ディスクに対向する面のシルエットが熱膨張して変形するので、速やかに最適の浮上高さＦＨ０に復帰させることができる。したがって、ＨＤＤ１００の記録及び再生の信頼性が向上し、ＨＤＩによる磁気ヘッドまたはディスクの損傷可能性を低減することができる。
【００４３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４４】
本発明は、ハードディスクドライブにおいてディスク上に浮上する高さを変化させるヘッドスライダ、ヘッドスライダを備えたハードディスクドライブ、及びヘッドスライダの浮上高さの制御方法に適用可能である。
【図面の簡単な説明】
【００４５】
【図１】本発明の実施の形態によるＨＤＤを示す平面図である。
【図２】本発明の実施の形態によるヘッドスライダのディスクに対向する面を示す平面図である。
【図３】図２のＡ−Ａ’線の断面図である。
【図４】ヘッドスライダの浮上高さの制御方法を示す説明図である。
【図５】ヘッドスライダの浮上高さの制御方法を示す説明図である。
【符号の説明】
【００４６】
１０７      ディスク
１３０      ヘッドスライダ
１３１      スライダボディ
１３２      磁気ヘッド
１３５      ＡＢＳ
１３７      リセス
１３９      キャビティ
１４２      リセス発熱部
１４４      キャビティ発熱部
【図１】
2008181645.tif 000003
【図２】
2008181645.tif 000004
【図３】
2008181645.tif 000005
【図４】
2008181645.tif 000006
【図５】
2008181645.tif 000007